(57)【要約】【課題】比較的に簡易な方法でゴミの影響を軽減して原稿のサイズを正確に判別すること。【解決手段】画像読取装置は、第一方向と反対の方向へ読取手段を移動させながら、第一方向におけるｎ個の範囲のそれぞれについて、読取手段に原稿を読み取らせてｎ個の読取画像を取得する。画像読取装置は、ｎ個の読取画像からｎ個の測定結果を求め、ｎ個の測定結果に基づき原稿のサイズを判別する。【選択図】図５
2019201250.tif 000002
【特許請求の範囲】
【請求項１】
透光性を有し、原稿を載置される原稿台と、
前記原稿に対して第一方向に移動することで前記原稿を読み取る読取手段と、
前記読取手段を前記第一方向または当該第一方向と反対の方向へ移動させる移動手段と、
前記読取手段および前記移動手段を制御する制御手段と、
前記読取手段が出力する前記原稿の読取画像に基づき前記第一方向と直交した第二方向における当該原稿のサイズを判別する判別手段と、を有し、
前記制御手段は、前記移動手段を制御して前記読取手段を前記第一方向または当該第一方向と反対の方向へ移動させながら、当該第一方向におけるｎ個の範囲のそれぞれについて、前記読取手段に読み取らせてｎ個の読取画像を取得し、
前記判別手段は、前記ｎ個の読取画像のそれぞれについて前記原稿のサイズを求めることでｎ個の測定結果を取得し、当該ｎ個の測定結果に基づき前記原稿のサイズを判別することを特徴とする画像読取装置。
【請求項２】
前記判別手段は、前記ｎ個の測定結果のうち多数派となる複数の測定結果に基づき前記原稿のサイズを判別することを特徴とする請求項１に記載の画像読取装置。
【請求項３】
前記判別手段は、前記原稿の読取画像に含まれるエッジであって、前記第一方向に沿って延在するエッジの位置を検知し、当該エッジの位置に基づき、前記原稿のサイズの測定結果を取得することを特徴とする請求項１または２に記載の画像読取装置。
【請求項４】
前記判別手段は、前記原稿の読取画像における前記第二方向における各位置ごとに各範囲内で読取値を積算して各位置ごとの積算値を取得し、各位置ごとの積算値のうちで最大の積算値となる前記第二方向における位置を前記第二方向における前記原稿の長さとして求め、前記測定結果として当該長さに基づき前記原稿のサイズを判別することを特徴とする請求項１に記載の画像読取装置。
【請求項５】
前記判別手段は、前記ｎ個の測定結果において多数派となる複数の測定結果が存在しない場合に、前記ｎ個の測定結果として前記ｎ個の読取画像のそれぞれから求められるｎ個の長さのうちで最大となる長さに基づき前記原稿のサイズを判別することを特徴とする請求項２に記載の画像読取装置。
【請求項６】
前記判別手段は、前記ｎ個の測定結果のうち多数派となる複数の測定結果に基づき前記第二方向における前記原稿の長さを求め、複数の定型サイズのうちで前記第二方向における長さが前記原稿の長さに最も近い定型サイズを、前記原稿のサイズと判別することを特徴とする請求項１ないし５のいずれか一項に記載の画像読取装置。
【請求項７】
前記判別手段は、前記ｎ個の測定結果において少数派となる測定結果を除外して前記原稿のサイズを判別することを特徴とする請求項１ないし６のいずれか一項に記載の画像読取装置。
【請求項８】
前記制御手段は、第一の原稿の読取画像に基づき、前記ｎ個の範囲のうちで、前記ｎ個の測定結果において少数派となる測定結果を取得された範囲を除外されたｋ個の範囲を選択し、第二の原稿について、前記移動手段を制御して前記読取手段を前記第一方向または当該第一方向と反対の方向へ移動させながら、当該ｋ個の範囲のそれぞれについて、前記読取手段に読み取らせてｋ個の読取画像を取得し、
前記判別手段は、前記ｋ個の読取画像からｋ個の測定結果を取得し、当該ｋ個の測定結果に基づき前記第二の原稿のサイズを判別することを特徴とする請求項１ないし７のいずれか一項に記載の画像読取装置。
【請求項９】
前記原稿台に対して前記原稿を押圧する開閉自在の押圧手段と、
前記押圧手段が前記原稿台に対して閉じているかどうかを検知する検知手段と、をさらに有し、
前記制御手段は、前記押圧手段が前記原稿台に対して閉じると、前記原稿のサイズの判別処理のための前記読取手段の移動を前記移動手段に開始させることを特徴とする請求項１ないし８のいずれか一項に記載の画像読取装置。
【請求項１０】
前記制御手段は、
前記原稿のサイズの判別処理において、前記第一方向と反対の方向へ前記読取手段を移動させながら、当該第一方向におけるｎ個の範囲のそれぞれについて前記読取手段に読み取らせ、
前記判別手段による前記原稿のサイズの判別処理が完了すると、前記第一方向へ前記読取手段を移動させながら、前記読取手段に前記原稿の全体を読み取らせることを特徴とする請求項１ないし９のいずれか一項に記載の画像読取装置。
【請求項１１】
前記制御手段は、前記ｎ個の範囲のうち、前記読取手段の待機位置から最も遠い範囲から、前記読取手段の待機位置から最も近い範囲までを順番に前記読取手段を移動させることを特徴とする請求項１ないし９のいずれか一項に記載の画像読取装置。
【請求項１２】
前記第一方向における前記原稿の長さを検出する検出手段をさらに有し、
前記判別手段は、前記ｎ個の測定結果のうち多数派となる複数の測定結果に基づく前記第二方向における前記原稿の長さと、前記検出手段により検出された前記第一方向における前記原稿の長さとに基づき、前記原稿の定型サイズを判別することを特徴とする請求項１ないし１１のいずれか一項に記載の画像読取装置。
【請求項１３】
前記判別手段は、前記ｎ個の測定結果のうち多数派となる複数の測定結果に基づき前記原稿のサイズを判別する第一判別モードと、１個の範囲から取得された測定結果に基づき前記原稿のサイズを判別する第二判別モードとを有し、
前記制御手段は、前記第一判別モードと前記第二判別モードとのいずれかを選択する選択手段をさらに有することを特徴とする請求項１ないし１２のいずれか一項に記載の画像読取装置。
【請求項１４】
前記ｎ個の測定結果のうち多数派となる少なくとも三つの測定結果が得られなかった場合に、前記原稿のサイズを判別できないことを示す情報を表示する表示手段をさらに有することを特徴とする請求項１ないし１３のいずれか一項に記載の画像読取装置。
【請求項１５】
透光性を有し、原稿を載置される原稿台と、
前記原稿台に対して前記原稿を押圧する開閉自在の押圧手段と、
前記押圧手段が前記原稿台に対して閉じているかどうかを検知する検知手段と、
前記原稿に対して副走査方向に移動することで前記原稿を読み取る読取手段と、
前記読取手段を前記副走査方向または当該副走査方向と反対の方向へ移動させる移動手段と、
前記読取手段および前記移動手段を制御する制御手段と、
前記読取手段が出力する前記原稿の読取画像に基づき主走査方向における当該原稿の長さを決定する決定手段と、
前記主走査方向における前記原稿の長さに基づき前記原稿のサイズを判別する判別手段と、を有し、
前記制御手段は、前記押圧手段が開状態から閉状態に遷移すると、前記移動手段を制御して前記読取手段を前記副走査方向と反対の方向へ移動させながら、当該副走査方向におけるｎ個の副走査領域のそれぞれについて、前記読取手段に読み取らせてｎ個の読取画像を取得し、
前記判別手段は、前記ｎ個の読取画像からそれぞれ求められたｎ個の長さに基づき前記原稿のサイズがいずれの定型サイズであるかを判別することを特徴とする画像読取装置。
【発明の詳細な説明】
【技術分野】
【０００１】
本発明は画像読取装置に関する。
【背景技術】
【０００２】
画像読取装置が原稿のサイズを検知することで、画像形成装置は原稿のサイズに対応したシートを選択して原稿の複写を実行することができる。特許文献１では、読み取った画像情報を原稿領域候補画素または原稿領域外候補画素と判定し、各候補画素の連続数に基づいて原稿エッジを検出し、原稿サイズを求めることが提案されている。特許文献１では、通常は白色である、原稿台カバーまたは自動原稿給紙装置の原稿押さえ部材を黒色にすることが前提とされている。特許文献２では、原稿台カバーが閉じかけの状態と原稿台カバーが閉じた状態とでそれぞれ光源を点灯して反射光を読取センサで読み取り、それぞれの読み値の白と黒の差分を見ることで原稿エッジを検知し、検知結果に基づき原稿サイズが判定される。
【先行技術文献】
【特許文献】
【０００３】
【特許文献１】特許第３７４７６９５号公報
【特許文献２】特許第４０１２０９３号公報
【発明の概要】
【発明が解決しようとする課題】
【０００４】
特許文献１では原稿押さえ部材の色に制限が生じる。特許文献２では原稿押さえ部材に埃や髪の毛などのゴミが付着した場合、読み値の白と黒の差分を得ることができず、原稿エッジが誤検出されてしまう。そこで、本発明は、比較的に簡易な方法でゴミの影響を軽減して原稿のサイズを正確に判別することを目的とする。
【課題を解決するための手段】
【０００５】
本発明は、たとえば、
透光性を有し、原稿を載置される原稿台と、
前記原稿に対して第一方向に移動することで前記原稿を読み取る読取手段と、
前記読取手段を前記第一方向または当該第一方向と反対の方向へ移動させる移動手段と、
前記読取手段および前記移動手段を制御する制御手段と、
前記読取手段が出力する前記原稿の読取画像に基づき前記第一方向と直交した第二方向における当該原稿のサイズを判別する判別手段と、を有し、
前記制御手段は、前記移動手段を制御して前記読取手段を前記第一方向または当該第一方向と反対の方向へ移動させながら、当該第一方向におけるｎ個の範囲のそれぞれについて、前記読取手段に読み取らせてｎ個の読取画像を取得し、
前記判別手段は、前記ｎ個の読取画像のそれぞれについて前記原稿のサイズを求めることでｎ個の測定結果を取得し、当該ｎ個の測定結果に基づき前記原稿のサイズを判別することを特徴とする画像読取装置を提供する。
【発明の効果】
【０００６】
本発明によれば、比較的に簡易な方法でゴミの影響を軽減して原稿のサイズを正確に判別することが可能となる。
【図面の簡単な説明】
【０００７】
【図１】画像読取装置の一例を示す図
【図２】コントローラを示すブロック図
【図３】ＡＤＦの開閉を説明する図
【図４】サイズセンサの位置を示す図
【図５】検知範囲を説明する図
【図６】黒画素のカウント結果を示す図
【図７】検知範囲ごとのエッジの位置を示す図
【図８】ＣＰＵの機能を説明する図
【図９】原稿サイズの判別方法を示すフローチャート
【図１０】主走査長の測定値から主走査サイズを求めるためのテーブルを示す図
【図１１】複数の候補範囲から検知範囲を選択することを説明する図
【図１２】検知範囲の設定方法を示すフローチャート
【図１３】検知パターンを説明する図
【図１４】原稿サイズを確定できないときに表示されるメッセージを示す図
【発明を実施するための形態】
【０００８】
［実施例１］
●画像読取装置
図１は画像読取装置の一例を示している。画像読取装置１０００は、原稿の画像を読み取る画像読取部（以下、リーダ１５０と呼ぶ）と、自動原稿給紙部（以下、ＡＤＦ１００と呼ぶ）を備えている。ＡＤＦはＡｕｔｏｍａｔｉｃ  Ｄｏｃｕｍｅｎｔ  Ｆｅｅｄｅｒの略称である。なお、図１において高さ方向がｚと定義され、副走査方向がｙと定義されている。なお、奥行き方向（主走査方向）がｘと定義されている。
【０００９】
●リーダ１５０
リーダ１５０はスキャナユニット２０を有している。スキャナユニット２０は、筐体２５の内側に設けられ、第一方向（矢印Ｆ１が示す方向（＋ｙ方向））と、当該第一方向とは反対の方向（矢印Ｆ２が示す方向（−ｙ方向））とにそれぞれ移動可能な読取手段の一例である。スキャナユニット２０は、原稿の読み取り面を照明する光源としてＬＥＤ２３ａ、２３ｂを備えている。ＬＥＤは発光ダイオードの略称である。さらに、スキャナユニット２０は、原稿からの反射光を画像センサ２８に導く光学部品であるミラー２４ａ、２４ｂ、２４ｃを有している。画像センサ２８は主走査方向に多数の光電変換素子が並んで形成されたラインセンサであってもよい。たとえば、ライセンサは、７５００個の光電変換素子を有してもよい。７５００個の光電変換素子は７５００個の画素に相当する。また、画像センサ２８はＲＧＢに相当する三列のラインセンサを有してもよい。リーダ１５０の筐体２５の頂面側にはリーダ１５０と対向するように原稿が載置される透光板である流し読みガラス２１、シェーディング白板２２および原稿台ガラス２９が設けられている。リーダ１５０は固定読みモードと流し読みモードとを有している。固定読みモードでは、スキャナユニット２０が副走査方向に一定速度で走査することで、原稿台ガラス２９上に載置された原稿を読み取る。原稿台ガラス２９上に載置された原稿は、押圧部材２７によって原稿台ガラス２９に対して押圧されている。流し読みモードでは、スキャナユニット２０がＡＤＦ１００のリードローラ６の中心位置で停止しており、ＡＤＦ１００により給紙および搬送された原稿を読み取る。シェーディング白板２２は、白レベルの基準データを作成するための白色基準板である。リーダ１５０は原稿を読み取る直前にシェーディング白板２２を読み取ることで基準データを作成する。基準データはシェーディング補正に使用されるデータであるため補正データと呼ばれてもよい。シェーディング白板２２は、流し読みガラス２１と原稿台ガラス２９との間に配置されているため、固定読みモードと流し読みモードとのいずれであっても、スキャナユニット２０はシェーディング白板２２の下方に一時的に移動する必要がある。サイズセンサ２６は原稿の副走査長を検知する光学式のセンサである。
【００１０】
●ＡＤＦ１００
原稿トレイ３０は１枚以上の原稿で構成される原稿束Ｓを積載する原稿積載手段である。給紙ローラ１は原稿トレイ３０に積載された原稿束Ｓの表面に当接して回転する。これにより、原稿束Ｓにおいて最上の原稿が給紙される。給紙ローラ１によって複数枚の原稿が給紙されてしまうことがある。複数枚の原稿は分離ローラ２と分離パッド１５の作用によって１枚に分離される。引抜ローラ３は、分離ローラ２と分離パッド１５によって分離された１枚の原稿を下流へ搬送することで、レジストローラ４に突き当てる。原稿が突き当たった時点ではレジストローラ４は停止している。原稿にはループ状のたわみが形成され、原稿の搬送における斜行が補正される。レジストローラ４の下流側には、レジストローラ４を通過した原稿を流し読みガラス２１へ搬送する給紙路が配置されている。読み取り上流ローラ５は給紙路に送られてきた原稿を画像読取位置に搬送する。画像センサ２８は原稿が流し読みガラス２１とリードローラ６の間を通過する際にリードローラ６直下の原稿読取位置において１ラインずつ光学的に原稿を読み取る（流し読み）。読み取り下流ローラ７は原稿を搬送し、排紙ローラ１２に受け渡す。排紙ローラ１２は原稿を排紙トレイ１３に排紙する。原稿センサ１４が原稿トレイ３０上の原稿を検知している限り、原稿の流し読みが継続される。
【００１１】
＜コントローラ＞
図２は画像読取装置１０００の制御部の構成例を示すブロック図である。コントローラ２００は、中央演算処理装置であるＣＰＵ５０、リードオンリーメモリであるＲＯＭ３４、ランダムアクセスメモリであるＲＡＭ３５を備えている。ＲＯＭ３４は制御プログラムを記憶している。ＲＡＭ３５は入力データや作業用データを記憶する。ＣＰＵ５０は、原稿を搬送するローラを駆動する搬送モータＭ１、原稿搬送の制御に用いる各種センサである原稿センサ１４を接続されている。ＣＰＵ５０は制御プログラムを実行することで原稿の搬送制御を実行する。
【００１２】
ＣＰＵ５０は、画像読取機能を実現するために、制御プログラムにしたがってスキャナユニット２０を副走査方向（フォワードスキャン）やその反対方向（バックスキャン）に移動させるための走査モータＭ２を制御する。モータＭ２は駆動パルスに応じて回転するステッピングモータであってもよい。ＣＰＵ５０は、モータＭ２に供給する駆動パルスの数をカウンタによりカウントし、カウント値に基づきスキャナユニット２０の位置を認識する。画像処理部３２は画像センサ２８によって取得された画像データに対して各種の画像処理（シェーディング補正など）を実行し、画像メモリとして機能するＲＡＭ３５に格納する。ＣＰＵ５０は、ＬＥＤ２３を点灯することで原稿やシェーディング白板２２を照明する。ＣＰＵ５０は、サイズセンサ２６の検知結果に基づき原稿台ガラス２９上に載置された原稿の副走査長を検知する。開閉センサ３１は押圧部材２７が原稿台ガラス２９に対して開いているのかそれとも閉じているのかを検知するセンサである。操作部３３はユーザに対して情報を出力する表示装置とユーザからの指示を受け付ける入力装置とを有する。
【００１３】
●開閉センサ
図３（Ａ）はＡＤＦ１００の開閉機構を説明する図である。ＡＤＦ１００はヒンジ３６を介してリーダ１５０に対して開閉自在に接続されている。図３（Ｂ）は開状態における開閉センサ３１とフラグ３７との関係を示している。図３（Ｃ）は閉状態における開閉センサ３１とフラグ３７との関係を示している。フラグ３７はバネ等の付勢部材により上方へ向かって付勢されている。このとき、開閉センサ３１の発光素子から受光素子に向かう光はフラグ３７によって遮蔽されていない。ＡＤＦ１００が閉じると、ＡＤＦ１００の下面によりフラグ３７が押圧されて、下方に移動する。このとき、開閉センサ３１の発光素子から受光素子に向かう光はフラグ３７によって遮蔽される。開閉センサ３１は受光素子の受光量に応じた検知結果を出力するため、ＣＰＵ５０は受光量に応じてＡＤＦ１００の開閉を認識できる。
【００１４】
●サイズセンサ２６
図４は原稿の副走査長を検知するサイズセンサ２６を説明する平面図である。なお、各原稿の右下の角に定型サイズを示す文字が付与されている。実施例１においてＣＰＵ５０は原稿の端部をスキャナユニット２０により読み取ることで原稿の主走査長を求める。一方、ＣＰＵ５０は原稿の副走査長についてはサイズセンサ２６を用いて検知する。図４には位置決め原点Ｏに対して位置決めされたいくつかの定型サイズの原稿が示されている。Ｂ６の主走査長とＢ５Ｒの主走査長とは同じであるが、Ｂ６の副走査長とＢ５Ｒの副走査長とは異なっている。ＣＰＵ５０は、原稿の主走査長を判別することで、原稿サイズはＢ６またはＢ５Ｒであると推定する。図４が示すようにサイズセンサ２６は所定位置に配置されている。よって、サイズセンサ２６が原稿を検知していれば、ＣＰＵ５０は、原稿サイズをＢ５Ｒに確定する。サイズセンサ２６が原稿を検知していなければ、ＣＰＵ５０は、原稿サイズをＢ６に確定する。同様に、サイズセンサ２６は、Ａ５とＡ４Ｒとを区別可能な位置に配置されている。サイズセンサ２６は、Ｂ５とＢ４Ｒとを区別可能な位置に配置されている。サイズセンサ２６は、Ａ４とＡ３Ｒとを区別可能な位置に配置されている。このように、ある定型サイズの短辺は他の定型サイズの長辺の半分に一致するため、主走査長だけでは二種類ある定型サイズのどちらであるかをＣＰＵ５０は判別できない。よって、副走査長を検知するためのサイズセンサ２６が必要となる。なお、主走査長は主走査サイズと呼ばれてもよいし、副走査長は副走査サイズと呼ばれてもよい。
【００１５】
●主走査長の検知方法
図５は主走査長の副走査領域（検知範囲）を説明する平面図である。図５において原稿Ｄには、説明の便宜上、読取対象面に文字Ｅが印刷されている。原稿Ｄは読取対象面が下を向くように原稿台ガラス２９上に載置される。原稿Ｄは位置決め原点Ｏに対して位置決めされる。原稿Ｄの四つの辺のうち二つの辺ｅ１、ｅ２が副走査方向と平行である。この二つの辺ｅ１、ｅ２のうち一つの辺ｅ１は原稿台ガラス２９の突き当て板４１に当接する。スキャナユニット２０の主走査方向における有効読取領域Ｗは、画像センサ２８が一度に読み取れる領域である。有効読取領域Ｗは、たとえば、７５００画素に相当する。
【００１６】
検知範囲Ｒ１、Ｒ２、Ｒ３は、原稿Ｄの主走査長Ｌを検知するためにスキャナユニット２０により読み取られる矩形の領域である。検知範囲Ｒ１は副走査位置Ｐ１からＰ２までの領域である。検知範囲Ｒ２は副走査位置Ｐ３からＰ４までの領域である。検知範囲Ｒ３は副走査位置Ｐ５からＰ６までの領域である。主走査長検知が開始されると、スキャナユニット２０は待機位置Ｐｗから読取開始位置Ｐｓに移動した後、読取開始位置Ｐｓから待機位置Ｐｗに向かって移動しながら、検知範囲Ｒ１、Ｒ２、Ｒ３を読み取る。なお、読取開始位置Ｐｓと副走査位置Ｐ１までの距離は所定距離（例：２０ｍｍ）に設定されている。これは、スキャナユニット２０の移動速度が目標速度に安定するまでに必要となる助走距離である。検知範囲Ｒ１、Ｒ２、Ｒ３の副走査方向における幅は２５６ラインに相当する。ＣＰＵ５０は、検知範囲Ｒ１、Ｒ２、Ｒ３のそれぞれについて、各主走査位置（例：０〜７５００）ごとの黒画素の数をカウントする。本実施例では、検知範囲Ｒ１、Ｒ２、Ｒ３の副走査方向における幅が２５６ラインであるため、黒画素のカウント値の最大値は２５６である。黒画素は主走査方向における原稿Ｄの辺ｅ２に起因して生じる原稿影の読取結果である。ＣＰＵ５０は各主走査位置の黒画素のカウント値をＲＡＭ３５に保存する。
【００１７】
図６は各主走査位置の黒画素のカウント値を示す図である。横軸は主走査位置を示す。縦軸は黒画素のカウント値を示す。ＣＰＵ５０はＲＡＭ３５に保存された各主走査位置ごとのカウント値を読み出し、カウント値と閾値（例：２００画素）とを比較する。これにより、ＣＰＵ５０は、閾値を超えるカウント値に対応付けられている主走査位置を特定する。図６によれば、辺ｅ２に相当する主走査位置のカウント値が閾値を超えている。ＣＰＵ５０は、辺ｅ２に相当する主走査位置を主走査長Ｌ１に換算する。
【００１８】
ところで、検知範囲Ｒ１に対応した原稿台ガラス２９上の領域や押圧部材２７の領域に汚れが付着することがある。また、辺ｅ２をはみ出すように原稿Ｄに付箋紙が貼りつけられていることもある。この場合、ＣＰＵ５０は、汚れの位置や付箋紙の端部の位置を用いて主走査長を求めてしまう可能性がる。そこで、ＣＰＵ５０は、ｎ個の検知範囲を用いて主走査長を精度よく求める（ｎは３以上の整数）。たとえば、ＣＰＵ５０は、三つの検知範囲Ｒ１、Ｒ２、Ｒ３のそれぞれについて主走査長Ｌ１、Ｌ２、Ｌ３を求め、主走査長Ｌ１、Ｌ２、Ｌ３のうちで多数派となる主走査長を原稿Ｄの主走査長として決定する。
【００１９】
図７（Ａ）は検知範囲Ｒ１に汚れに起因したエッジが検知されたことを示している。この例では、検知範囲Ｒ２、Ｒ３ではＢ５サイズの原稿Ｄの辺ｅ２に由来したエッジが検知されている。つまり、検知範囲Ｒ２から得られた主走査長Ｌ２と検知範囲Ｒ３から得られた主走査長Ｌ３とが一致し、これらは主走査長Ｌ１とは異なっている。よって、ＣＰＵ５０は、多数派である主走査長Ｌ２、Ｌ３を原稿Ｄの主走査長に決定する。また、ＣＰＵ５０は、主走査長Ｌ２、Ｌ３がＢ５サイズの主走査長として判定すべき範囲に属しているため、原稿Ｄの主走査長をＢ５サイズ（Ｂ４Ｒサイズ）の主走査長と判別する。
【００２０】
図７（Ｂ）は検知範囲Ｒ２に汚れに起因したエッジが検知されたことを示している。この例では、検知範囲Ｒ１、Ｒ３ではＡ４サイズの原稿Ｄの辺ｅ２に由来したエッジが検知されている。つまり、検知範囲Ｒ１から得られた主走査長Ｌ１と検知範囲Ｒ３から得られた主走査長Ｌ３とが一致し、これらは主走査長Ｌ２とは異なっている。よって、ＣＰＵ５０は、多数派である主走査長Ｌ１、Ｌ３を原稿Ｄの主走査長に決定する。また、ＣＰＵ５０は、主走査長Ｌ１、Ｌ３がＡ４サイズの主走査長として判定すべき範囲に属しているため、原稿Ｄの主走査長をＡ４サイズ（Ａ３Ｒサイズ）の主走査長と判別する。
【００２１】
図７（Ｃ）は検知範囲Ｒ１に汚れに起因したエッジが検知されたことを示している。ただし、主走査長Ｌ１、Ｌ２、Ｌ３はいずれもＢ５サイズの主走査長として判定すべき範囲に属している。そのため、ＣＰＵ５０は、原稿Ｄの主走査長をＢ５サイズ（Ｂ４Ｒサイズ）の主走査長と判別する。
【００２２】
●原稿サイズの検知方法
図８はＣＰＵ５０が制御プログラムを実行することで実現する複数の機能を示している。これらの機能の一部またはすべてがＡＳＩＣなどのハードウエア回路により実現されてもよい。範囲設定部７１は検知範囲Ｒ１、Ｒ２、Ｒ３を読取制御部７２に設定する。検知範囲Ｒ１、Ｒ２、Ｒ３の定義情報はＲＯＭ３４またはＲＡＭ３５などに保持されている。読取制御部７２は、ＬＥＤ２３の点灯／消灯、スキャナユニット２０の移動、画像センサ２８などを制御する。パルスカウンタ７３は走査モータＭ２に入力されたパルスの数をカウントする。読取制御部７２は、各検知範囲に相当するカウント数に基づき、スキャナユニット２０を目標とする副走査位置まで移動させる。判別部７０は、スキャナユニット２０の読取結果（読取画像）に基づき原稿Ｄのサイズを判別する。黒カウンタ７４は各主走査位置ごとの黒画素の数をカウントする。主走査長決定部７５は、黒カウンタ７４のカウント値と閾値Ｔｈ（例：２００）とを比較し、辺ｅ２に相当する主走査位置を求め、この主走査位置を主走査長Ｌに換算する。換算式はＲＯＭ３４に保持されていてもよい。主走査長Ｌは複数の検知範囲Ｒ１〜Ｒ３のそれぞれについて求められる測定結果である。多数派決定部７６は、複数の主走査長Ｌ１〜Ｌ３のうちで多数派となる主走査長Ｌｍを決定する。あるいは、多数派決定部７６は、複数の主走査長Ｌ１〜Ｌ３をそれぞれ定型の主走査長Ｌｍ（測定結果）に分類し、多数派となる主走査長Ｌｍを決定してもよい。この場合、多数派決定部７６は、定型の主走査サイズを決定する機能と、複数の主走査サイズのうちの多数派を決定する機能とを有することになる。定型判定部７７は、多数派となる主走査長Ｌｍと、サイズセンサ２６の検知結果とに基づき、原稿Ｄのサイズがどの定型サイズであるかを判別する。
【００２３】
図９は原稿サイズの判別処理を示すフローチャートである。
・Ｓ１でＣＰＵ５０（読取制御部７２）は開閉センサ３１の検知結果に基づきＡＤＦ１００（押圧部材２７）が開状態かどうかを判定する。通常、ＡＤＦ１００は閉状態にある。そのため、閉状態から開状態への遷移はユーザが原稿Ｄを原稿台ガラス２９上に載置することを暗示している。ＡＤＦ１００（押圧部材２７）が開状態になると、ＣＰＵ５０はＳ２に進む。
・Ｓ２でＣＰＵ５０（読取制御部７２）は走査モータＭ２を制御してスキャナユニット２０を待機位置Ｐｗから読取開始位置Ｐｓへ移動させる。読取制御部７２は、パルスカウンタ７３のカウント値が待機位置Ｐｗから読取開始位置Ｐｓの距離に相当するカウント値になると、走査モータＭ２を停止する。これにより、スキャナユニット２０は読取開始位置Ｐｓに停止する。
・Ｓ３でＣＰＵ５０（読取制御部７２）はサイズセンサ２６の検知結果に基づき原稿Ｄの副走査長を取得する。押圧部材２７が開いた状態でサイズセンサ２６が原稿Ｄの副走査長を検知することで、押圧部材２７が原稿Ｄとして誤検知されないようになる。
・Ｓ４でＣＰＵ５０（読取制御部７２）は開閉センサ３１の検知結果に基づきＡＤＦ１００（押圧部材２７）が閉状態かどうかを判定する。開状態から閉状態への遷移はユーザが原稿Ｄを原稿台ガラス２９上に載置したことを暗示している。ＡＤＦ１００（押圧部材２７）が閉状態になると、タイマーをスタートさせ、ＣＰＵ５０はＳ５に進む。
・Ｓ５でＣＰＵ５０（読取制御部７２）はタイマーのカウント値が所定時間（例：５００ミリ秒）になったかどうかを判定する。所定時間は、開閉センサ３１が閉状態を検知したタイミングから、押圧部材２７が原稿Ｄを安定して押圧したタイミングまでの時間に相当する。これにより、原稿Ｄの読取結果が安定する。カウント値が所定時間になると、ＣＰＵ５０はＳ６に進む。
・Ｓ６でＣＰＵ５０（読取制御部７２）はＬＥＤ２３を点灯させ、画像センサ２８を起動し、かつ、スキャナユニット２０の移動を開始する。読取制御部７２は、走査モータＭ２を逆回転させることで、スキャナユニット２０をバックスキャンさせる。
・Ｓ７でＣＰＵ５０（読取制御部７２）は画像センサ２８を制御し、ｎ個の検知範囲Ｒ１〜Ｒｎのそれぞれの読取結果を取得する。たとえば、パルスカウンタ７３のカウント値が副走査位置Ｐ１に相当する値になると、読取制御部７２は画像センサ２８に検知範囲Ｒ１の読み取りを開始させる。パルスカウンタ７３のカウント値が副走査位置Ｐ２に相当する値になると、読取制御部７２は画像センサ２８に検知範囲Ｒ１の読み取りを終了させる。これにより、Ｍライン分の画像データがＲＡＭ３５に格納される（例：Ｍ＝２５６）。なお、黒カウンタ７４は１ライン読むごとに主走査位置ごとの黒画素の値を積算してもよい。これにより、ＲＡＭ３５の記憶容量を節約できる。黒カウンタ７４はｉ番目の主走査位置の読取結果が黒閾値を超えていれば、ｉ番目の主走査位置のカウント値に１を加算する。黒カウンタ７４はｉ番目の主走査位置の読取結果が黒閾値以下であれば、ｉ番目の主走査位置のカウント値に１を加算しない。
・Ｓ８でＣＰＵ５０（判別部７０）は各検知範囲の読取結果に基づき各検知範囲Ｒ１〜Ｒｎの主走査長Ｌ１〜Ｌｎを求める。主走査長決定部７５は、主走査位置ごとの黒カウンタ７４のカウント値を閾値Ｔｈ（例：２００）と比較し、閾値Ｔｈを超えているカウント値に対応する主走査位置ｉｘ（測定結果）を求める。通常、主走査位置ｉｘは一つ求まる。主走査長決定部７５は主走査位置ｉｘを主走査長Ｌ（測定結果）に換算する。これにより、主走査長Ｌ１〜Ｌｎが求まる。
・Ｓ９でＣＰＵ５０（判別部７０）は各検知範囲Ｒ１〜Ｒｎの主走査長Ｌ１〜Ｌｎに基づき、多数派となる定型の主走査長を求める。多数派決定部７６は、主走査長Ｌ１〜Ｌｎを定型の主走査長Ｌｍ１〜Ｌｍｎ（測定結果）に分類する。
【００２４】
図１０は定型の主走査長を判別するために使用可能な判別テーブル７８を示している。判別テーブル７８はＲＯＭ３４などに記憶されている。多数派決定部７６は、主走査長Ｌ１〜Ｌｎと判別テーブル７８とを照らし合わせ、定型の主走査長を決定する。たとえば、主走査長Ｌ１が１８３．０ｍｍであれば、多数派決定部７６は、定型の主走査長Ｌｍ１を１８２．０ｍｍと決定する。同様に、主走査長Ｌ２が２０１．０ｍｍであれば、多数派決定部７６は、定型の主走査長Ｌｍ２を２１０．０ｍｍと決定する。このようにして、多数派決定部７６は、定型の主走査長Ｌｍ１〜Ｌｍｎを決定する。さらに、多数派決定部７６は、定型の主走査長Ｌｍ１〜Ｌｍｎを比較し、多数派となる定型の主走査長を決定する。たとえば、定型の主走査長として２１０ｍｍが最も多く検知された場合、多数派決定部７６は、２１０ｍｍを多数派の定型の主走査長Ｌｍとして決定する。
【００２５】
Ｓ１０でＣＰＵ５０（定型判定部７７）は多数派の定型の主走査長Ｌｍと、サイズセンサ２６により求められた副走査長とに基づき、原稿Ｄがいずれの定型サイズであるかを判別する。たとえば、多数派の定型の主走査長Ｌｍが２１０．０ｍｍであれば、定型サイズの候補はＡ５／Ａ４Ｒである。さらに、サイズセンサ２６が原稿Ｄを検知していれば、定型判定部７７は、定型サイズをＡ４Ｒと判別する。サイズセンサ２６が原稿Ｄを検知していなければ、定型判定部７７は、定型サイズをＡ５と判別する。原稿サイズが確定すると、ＣＰＵ５０はスキャナユニット２０を待機位置Ｐｗに停止させる。ＣＰＵ５０は画像センサ２８を停止させ、ＬＥＤ２３を消灯する。
【００２６】
このように主走査長に関する複数の測定結果に基づき定型サイズが判別される。つまり、実施例１によれば、比較的に簡易な方法でゴミや付箋の影響を軽減して原稿のサイズを正確に判別することが可能となる。
【００２７】
ところで、主走査長Ｌｍ１〜Ｌｍｎがいずれも異なることも想定される。この場合、多数派決定部７６は、主走査長Ｌｍ１〜Ｌｍｎのうちで最大のものを選択してもよい。これにより、複写において原稿Ｄの一部が欠けてしまうことが抑制される。
【００２８】
［実施例２］
実施例２は検知範囲Ｒ１〜Ｒｎの設定方法に関するものである。原稿台ガラス２９に付着した汚れなどは清掃されない限りサイズの検知結果に影響を及ぼす。そこで、ＣＰＵ５０は、検知範囲Ｒ１〜Ｒｎのうちで汚れが付着している検知範囲を除外する。これにより、より精度よく原稿のサイズが判別されるようになろう。検知範囲Ｒ１〜Ｒｎの設定方法は、Ｓ１０の後に実行されてもよいし、フォワードスキャンによる通常の原稿読取が実行された後のバックスキャンにより実行されてもよい。
【００２９】
図１１（Ａ）および図１１（Ｂ）は候補範囲Ｒ２１〜Ｒ２５から三つの検知範囲Ｒ１’〜Ｒ３’を選択する方法を示している。図１２は検知範囲の設定方法を示すフローチャートである。
・Ｓ１１でＣＰＵ５０（読取制御部７２）は操作部３３などから原稿Ｄの読み取りを指示されたかどうかを判定する。原稿Ｄの読み取りを指示されると、ＣＰＵ５０はＳ１２に進む。
・Ｓ１２でＣＰＵ５０（読取制御部７２）は原稿Ｄのフォワードスキャンを実行する。読取制御部７２はＬＥＤ２３を点灯し、画像センサ２８を起動し、かつ、走査モータＭ２を駆動することで、スキャナユニット２０を待機位置Ｐｗから読取終了位置Ｐｓｔまで移動させる。これにより、スキャナユニット２０は原稿Ｄの画像を読み取る。
・Ｓ１３でＣＰＵ５０（読取制御部７２）はスキャナユニット２０が読取終了位置Ｐｓｔに到着したかどうかをパルスカウンタ７３のカウント値に基づき判定する。なお、図１１（Ａ）が示すように、読取終了位置Ｐｓｔは、原稿Ｄの主走査方向と平行な二つの辺のうち待機位置Ｐｗに対してより遠いほうの辺に相当する位置である。ＣＰＵ５０は、過去に実行された原稿Ｄの定型サイズの判別結果や操作部３３から入力された定型サイズに基づき読取終了位置Ｐｓｔを決定してもよい。スキャナユニット２０が読取終了位置Ｐｓｔに到着すると、ＣＰＵ５０はＳ１４に進む。
・Ｓ１４でＣＰＵ５０（読取制御部７２）はスキャナユニット２０のバックスキャンを開始する。読取制御部７２は走査モータＭ２を正転から逆転に切り替えることで、バックスキャンを開始する。
・Ｓ１５でＣＰＵ５０（読取制御部７２）は画像センサ２８を制御し、ｎ個の候補範囲Ｒ２１〜Ｒ２ｎのそれぞれの読取結果を取得する。図１１（Ａ）によれば、候補範囲Ｒ２１は副走査位置Ｐ２１から副走査位置Ｐ２２までの領域である。候補範囲Ｒ２２は副走査位置Ｐ２３から副走査位置Ｐ２４までの領域である。候補範囲Ｒ２３は副走査位置Ｐ２５から副走査位置Ｐ２６までの領域である。候補範囲Ｒ２４は副走査位置Ｐ２７から副走査位置Ｐ２８までの領域である。候補範囲Ｒ２５は副走査位置Ｐ２９から副走査位置Ｐ３０までの領域である。読取制御部７２はパルスカウンタ７３のカウント値にしたがって各候補範囲の副走査位置を特定し、画像センサ２８に各候補範囲を読み取らせる。これにより、ｎ個の候補範囲Ｒ２１〜Ｒ２ｎのそれぞれの読取結果が得られる。図１１（Ａ）はｎ＝５の例を示している。
・Ｓ１６でＣＰＵ５０（判別部７０）は各候補範囲の読取結果に基づき各候補範囲Ｒ２１〜Ｒ２ｎの主走査長Ｌ２１〜Ｌ２ｎを求める。
・Ｓ１７でＣＰＵ５０（判別部７０）は各候補範囲Ｒ２１〜Ｒ２ｎの主走査長Ｌ２１〜Ｌ２ｎに基づき、定型の主走査長Ｌｍ２１〜Ｌｍ２ｎを求める。上述したように、多数派決定部７６は、主走査長Ｌ２１〜Ｌ２ｎを定型の主走査長Ｌｍ２１〜Ｌｍ２ｎに分類する。
・Ｓ１８でＣＰＵ５０（範囲設定部７１）は、各候補範囲Ｒ２１〜Ｒ２ｎの定型の主走査長Ｌｍ２１〜Ｌｍ２ｎに基づきｋ個の検知範囲Ｒ１’〜Ｒｋ’を選択する。図１１（Ｂ）ではｋ＝３の事例が示されている。図１１（Ｂ）では候補範囲Ｒ２２の定型の主走査長Ｌｍ２２に対して、候補範囲Ｒ２３の定型の主走査長Ｌｍ２３と候補範囲Ｒ２４の定型の主走査長Ｌｍ２４が一致している。また、主走査長Ｌｍ２２に対して、候補範囲Ｒ２１の定型の主走査長Ｌｍ２１と候補範囲Ｒ２５の定型の主走査長Ｌｍ２５は一致しなかった。そこで、範囲設定部７１は、候補範囲Ｒ２２〜Ｒ２４を検知範囲Ｒ１’〜Ｒ３’として選択している。
【００３０】
図１３は検知範囲Ｒ１’〜Ｒ３’を選択するために利用可能な選択テーブル７９を示している。検知パターンＰＴ１〜ＰＴ１１は検知範囲Ｒ１’〜Ｒ３’として選択される候補範囲の組み合わせと条件を示している。「−」で示される記号は、どのような定型の主走査長でもよいことを表す。また「Ｘ」は少数派の主走査長であることを示している。つまり、Ｘを付与された候補範囲にはゴミなどの汚れが付着している可能性がある。
【００３１】
たとえば、検知パターンＰＴ４は、候補範囲Ｒ２２の主走査サイズＬｍ２２に対して候補範囲Ｒ２３の主走査長Ｌｍ２３および候補範囲Ｒ２４の主走査長Ｌｍ２４が一致し、かつ、候補範囲Ｒ２５の主走査長Ｌｍ２５が一致しないときに選択される。つまり、検知パターンＰＴ４は、候補範囲Ｒ２２〜Ｒ２４が検知範囲Ｒ１’〜Ｒ３’として選択される検知パターンである。なお、候補範囲Ｒ２１の主走査長Ｌｍ２１はどのような値であってもよい。検知パターンＰＴ１１はデフォルトの検知パターンである。検知パターンＰＴ１１は、同一となった定型の主走査長の数がｋ個未満の場合に選択される。また、画像読取装置１０００に対して電源から投入された直後においても、ＣＰＵ５０は検知パターンＰＴ１１を選択してもよい。
【００３２】
図１３に示された検知パターンの特徴は、待機位置Ｐｗに対してより近いｋ個の候補範囲が選択されることである。また、範囲設定部７１は、ｋ個の候補範囲のうち待機位置Ｐｗから最も遠い候補範囲に基づき読取開始位置Ｐｓｎを設定する。図１１（Ｂ）によれば、範囲設定部７１は、候補範囲Ｒ２３の副走査位置Ｐ２３から助走距離だけ離れた位置を読取開始位置Ｐｓｎに設定している。範囲設定部７１は、検知範囲Ｒ１’〜Ｒ３’として選択された候補範囲の識別情報（副走査位置など）をＲＡＭ３５に格納する。これにより、次に原稿Ｄのサイズの判別処理が実行されるときには、範囲設定部７１がＲＡＭ３５から検知範囲Ｒ１’〜Ｒ３’として選択された候補範囲の識別情報を読み出して、読取制御部７２に設定する。
【００３３】
実施例２によれば、汚れの付着している候補範囲は検知範囲から除外されるようになる。これにより、より精度よく原稿のサイズが判別されるようになろう。
【００３４】
＜その他＞
実施例１において多数派となる定型の主走査長が見つからないケースがあるかもしれない。実施例２においてｎ個の定型の主走査長Ｌｍがいずれも一致しないことも考えられる。このような場合にＣＰＵ５０は操作部３３の表示装置に原稿台ガラス２９や押圧部材２７の清掃を促すメッセージを表示してもよい。
【００３５】
図１４は操作部３３に表示されるメッセージ８０の一例を示している。メッセージ８０には、原稿のサイズを決定できないことを示すメッセージが含まれていてもよい。また、メッセージ８０には、原稿に貼付された付箋を確認または除去することを促すメッセージが含まれてもよい。
【００３６】
＜まとめ＞
図１が示すように、原稿台ガラス２９は透光性を有し、原稿を載置される原稿台の一例である。スキャナユニット２０は原稿に対して第一方向に移動することで原稿を読み取る読取手段の一例である。走査モータＭ２は読取手段を第一方向または当該第一方向と反対の方向へ移動させる移動手段の一例である。ＣＰＵ５０は読取手段および移動手段を制御する制御手段の一例である。判別部７０は、読取手段が出力する原稿の読取結果（読取画像）に基づき第一方向と直交した第二方向における当該原稿のサイズを判別する判別手段の一例である。ＣＰＵ５０は、移動手段を制御して読取手段を第一方向または当該第一方向と反対の方向へ移動させながら、当該第一方向におけるｎ個の範囲のそれぞれについて、読取手段に読み取らせてｎ個の読取結果（読取画像）を取得する（ｎは３以上の整数）。判別部７０は、ｎ個の読取画像のそれぞれについて原稿のサイズを求めることでｎ個の測定結果を取得し、当該ｎ個の測定結果に基づき前記原稿のサイズを判別ないしは確定する。これにより、比較的に簡易な方法でゴミの影響を軽減して原稿のサイズを正確に判別することが可能となる。なお、図５が示すようにｎ個の検知範囲は相互に離間していてもよいし、結合していてもよい。ただし、副走査位置Ｐ２から副走査位置Ｐ３までの範囲は、検知範囲Ｒ１の読取結果を処理するための処理時間に相当する範囲であってもよい。
【００３７】
判別部７０は、ｎ個の測定結果のうち多数派となる複数の測定結果に基づき原稿のサイズを判別してもよい。なお、原稿サイズを確定するための判別手法として多数決は一例に過ぎない。たとえば、ｎ個の測定結果の平均値から原稿サイズが判別されてもよい。また、ｎ個の検知範囲に予め重み係数が設定され、ｎ個の測定結果に対して対応する重み係数が乗算され、この乗算結果の平均値に基づき原稿サイズが判別されてもよい。ｎは２以上の整数であってもよい。
【００３８】
判別部７０は、原稿の読取画像に含まれるエッジであって、第一方向に沿って延在するエッジ（例：辺ｅ２）の位置を検知し、当該エッジの位置に基づき、原稿のサイズを判別してもよい。たとえば、判別部７０の黒カウンタ７４は、原稿の読取画像における第二方向における各位置ごとに各範囲内で読取値を積算して各位置ごとの積算値を取得してもよい。判別部７０は、各位置ごとの積算値のうちで最大の積算値となる第二方向における位置を第二方向における原稿の長さとして求め、当該長さに基づき原稿のサイズを判別してもよい。第二方向における原稿の長さは測定結果の一例である。
【００３９】
判別部７０は、ｎ個の測定結果において多数派となる複数の測定結果が存在しない場合に、ｎ個の測定結果のそれぞれから求められるｎ個の長さのうちで最大となる長さに基づき原稿のサイズを判別してもよい。これにより、原稿サイズに基づくシートに対して原稿を複写したときに画像欠けが発生しにくくなる。
【００４０】
判別部７０は、ｎ個の測定結果のうち多数派となる複数の測定結果に基づき第二方向における原稿の長さを求める。判別部７０は、複数の定型サイズのうちで、実際の原稿に近い定型サイズを特定する。たとえば、判別部７０は、複数の定型サイズの第二方向における長さ（定型主走査長）のうちで、求められた原稿の長さに最も近いものを特定することで、一つの定型サイズを原稿のサイズと判別する。
【００４１】
判別部７０はｎ個の測定結果において少数派となる測定結果を除外して原稿のサイズを判別してもよい。たとえば、範囲設定部７１は、第一の原稿から取得されたｎ個の測定結果に基づき、ｎ個の範囲のうちで、ｎ個の測定結果において少数派となる測定結果を取得された範囲を除外して、ｋ個の範囲を選択してもよい。読取制御部７２は走査モータＭ２を制御してスキャナユニット２０を第一方向または当該第一方向と反対の方向へ移動させながら、ｋ個の範囲のそれぞれについてスキャナユニット２０に読み取らせて第二の原稿についてｋ個の測定結果を取得してもよい。ｋはｎ未満かつ３以上の整数である。
【００４２】
押圧部材２７は原稿台ガラス２９に対して原稿を押圧する開閉自在の押圧手段の一例である。開閉センサ３１は、押圧手段が原稿台に対して閉じているかどうかを検知する検知手段の一例である。読取制御部７２は、押圧手段が原稿台に対して閉じると、原稿のサイズの判別処理のための読取手段の移動を移動手段に開始させてもよい。
【００４３】
読取制御部７２は、原稿のサイズの判別処理において、第一方向と反対の方向へ読取手段を移動させながら、当該第一方向におけるｎ個の範囲のそれぞれについて読取手段に読み取らせてもよい。読取制御部７２は、判別部７０による原稿のサイズの判別処理が完了すると、第一方向へ読取手段を移動させながら、読取手段に原稿の全体を読み取らせてもよい。これにより、原稿の全体から取得された画像データが作成される。
【００４４】
読取制御部７２は、ｎ個の範囲のうち、読取手段の待機位置から最も遠い範囲から、読取手段の待機位置から最も近い範囲まで順番に読取手段を移動させてもよい。これにより効率よく原稿サイズの判別に利用される読取画像が得られるようになろう。
【００４５】
サイズセンサ２６は第一方向における原稿の長さを検出する検出手段の一例である。判別部７０は、ｎ個の測定結果のうち多数派となる複数の測定結果に基づく第二方向における原稿の長さと、検出手段により検出された第一方向における原稿の長さとに基づき、原稿の定型サイズを判別してもよい。
【００４６】
判別部７０は、ｎ個の測定結果のうち多数派となる複数の測定結果に基づき原稿のサイズを判別する第一判別モードと、１個の範囲から取得された測定結果に基づき原稿のサイズを判別する第二判別モードとを有してもよい。操作部３３の入力装置は、第一判別モードと第二判別モードとのいずれかを選択する選択手段の一例である。第一判別モードによれば、より高精度に原稿サイズを確定することが可能となる。第二判別モードによれば、より短時間で原稿サイズを確定することが可能となる。
【００４７】
図１４が示すように、操作部３３の表示装置は、ｎ個の測定結果のうち多数派となる少なくとも三つの測定結果が得られなかった場合に、原稿のサイズを判別できないことを示す情報を表示する表示手段の一例である。これによりユーザは原稿の判別状態を認識しやすくなろう。
【符号の説明】
【００４８】
２９…原稿台ガラス、２０…スキャナユニット、Ｍ２…走査モータ、５０…ＣＰＵ
【図１】
2019201250.tif 000003
【図２】
2019201250.tif 000004
【図３】
2019201250.tif 000005
【図４】
2019201250.tif 000006
【図５】
2019201250.tif 000007
【図６】
2019201250.tif 000008
【図７】
2019201250.tif 000009
【図８】
2019201250.tif 000010
【図９】
2019201250.tif 000011
【図１０】
2019201250.tif 000012
【図１１】
2019201250.tif 000013
【図１２】
2019201250.tif 000014
【図１３】
2019201250.tif 000015
【図１４】
2019201250.tif 000016